(57)【要約】      （修正有）【課題】弾性バンドによって畳床を畳表に着脱自在に固定されるので、畳表が汚れて丸洗いする場合、畳表だけを畳床から容易に取り外すことができ、丸洗いや乾燥を容易に行うことができる人工畳を提供する。【解決手段】人工畳は、複数のモノフィラメント糸を積層成型してなる畳床３と、畳床３の表面を覆うように配された畳表２とからなり、弾性バンド５によって、畳表２に畳床３を着脱自在に固定する。【選択図】図４
0003203707.tif 000002
【実用新案登録請求の範囲】
【請求項１】
複数のモノフィラメント糸を積層してなる畳床と、該畳床の表面を覆うように配された畳表と、該畳表の各隅に設けられた固定具とを備え、該固定具により、前記畳床に前記畳表を着脱自在に取り付けたことを特徴とする人工畳。
【請求項２】
前記固定具は、前記畳表の各隅に設けられる弾性バンドであることを特徴とする請求項１に記載の人工畳。
【請求項３】
前記固定具は、前記畳床の各隅に設けられるファスナーまたは粘着テープであることを特徴とする請求項１に記載の人工畳。
【請求項４】
前記モノフィラメント糸は、ポリオレフィン系の合成樹脂であることを特徴とする請求項１に記載の人工畳。
【請求項５】
前記モノフィラメント糸の積層構造で形成される畳床は、０．１kg／cm３〜０．３kg／cm３であることを特徴とする請求項４に記載の人工畳。
【請求項６】
前記畳表は、前記畳床の上面および畳縁を覆うように配されることを特徴とする請求項１に記載の人工畳。
【請求項７】
前記畳表は、前記畳縁を覆うことなく前記畳床の上に配されることを特徴とする請求項１に記載の人工畳。
【考案の詳細な説明】
【技術分野】
【０００１】
本考案は、住宅や医療・介護施設などの床面に敷かれる人工畳に関し、特に、通気性、収納や運搬などの作業性、およびクッション性に優れるとともに、丸洗いを可能にした人工畳に関する。
【背景技術】
【０００２】
従来、この種の人工畳として、天然い草を畳表とし、わらを畳床とした伝統的な人工畳が使用される。また、軽量性やコストなどの観点から、天然い草に代えて、人工い草を畳表とした人工畳も開発されている。
例えば、特許文献１は、人工畳として、畳表は、プラスチック製の人工い草を使用し、畳床は、畳表側から順にプラスチック製保護シート、芯材、プラスチック製保護シートを積層したものを開示している。
【０００３】
また、畳床に、保護シートとして発泡性プラスチックを使用し、プラスチック製の緩衝材を入れて、人工畳のクッション性を付与した人工畳も市場に提供されている。この人工畳は、畳表や畳床をプラスチック製の素材によって製造し、水を吸収しにくく、かつ浸透しにくいので、人工畳の丸洗いや乾燥を可能にした。
【先行技術文献】
【特許文献】
【０００４】
【特許文献１】特開２００１−２２７１４２号公報
【考案の概要】
【考案が解決しようとする課題】
【０００５】
ところが、このような人工畳では、人工い草や、芯材を挟んで上下に配された保護シートやプラスチック製の発泡性・緩衝材は、接着剤や縫製によって積層される。
そのため、人工畳の通気性やクッション性の調節が難しく、また製造も面倒で量産性に不向きであった。また、人工畳を丸洗いする場合、畳表とともに畳床も同時に丸洗いする必要があり、乾燥にも時間がかかるという課題があった。
【課題を解決するための手段】
【０００６】
前記課題を解決するために、本考案は、複数のモノフィラメント糸を積層してなる畳床と、畳床の表面を覆うように設けられた畳表と、畳表の各隅に設けられた固定具とを備え、該固定具により、畳床に畳表を着脱自在に取り付けた構成とする。
【０００７】
また、前記固定具は、畳表の各隅に設けられる弾性バンドであり、また、畳床の各隅に設けられるファスナーまたは粘着テープである。さらに、モノフィラメント糸は、ポリオレフィン系の合成樹脂である。また、畳の軽量化を図るために、畳床は、０．１〜０．３kg／cm３のモノフィラメント糸の積層構造で形成される。畳表は、畳床の上面および畳縁を覆い、あるいは、畳床の畳縁を覆うことなく配される。
【考案の効果】
【０００８】
以上のように、本考案に係る人工畳の畳表は、固定バンドによって畳床に着脱自在に固定されるので、畳表を洗浄する場合、畳表だけを畳床から脱着し、あるいは取替えることができる。よって、蒸気洗いや水洗いなどの洗浄や乾燥が容易になり、人工畳を清潔に保つことができ、衛生上、好ましい。
【０００９】
また、畳床は、モノフィラメント糸の積層構造で形成されるので、モノフィラメント糸の材質や積層密度を変えるだけで弾性（クッション性）を容易に変えることができる。そのため、畳床の弾性（クッション性）を自在に調整することができ、木製等の床に直接敷いた場合でも体に負担が少ない畳を提供することができる。特に、モノフィラメント糸は、弾性に優れ、反発性が高いため、人工畳の弾性（クッション性）を自在に調整することができる。
【００１０】
また、モノフィラメント糸は、ポリエチレンやポリプロピレンなどのポリオレフィン系の合成樹脂で形成されるので、人工畳の蒸気洗いや水洗いが容易になる。また、畳床は、０．１〜０．３kg／cm３のモノフィラメント糸の積層構造で形成すると、一般の人工畳より軽量になり、収納や運搬などの作業性が良好になり、災害時の避難所等での使用に適する。
【図面の簡単な説明】
【００１１】
【図１】本考案の一実施例に係る人工畳を斜め上方から眺めた斜視図である。
【図２】前記人工畳の畳表を畳床から取り外した状態を示す裏面図である。
【図３】前記人工畳の畳床の平面図である。
【図４】矢印の方向に前記畳床を前記畳表に取り付ける状態を示す図である。
【図５】モノフィラメント糸の縦断面図である。
【図６】本考案の他の実施例に係る人工畳を斜め上方から眺めた斜視図である。
【図７】前記人工畳の側面図である。
【図８】矢印の方向に前記畳床を前記畳表に取り付ける状態を示す図である。
【考案を実施するための形態】
【００１２】
以下、本考案に係る人工畳の実施形態を詳細に説明する。
図１は、斜め上方から眺めた人工畳１であり、人工畳１は、厚さ数ミリメートルから数センチメートルの平板を示す。この人工畳１は、天然又は人工のい草で形成された畳表２（図２参照）と、畳表２に取り付けられる畳床３（図３参照）とで構成される。
【００１３】
畳床３は、畳表２の周縁に沿って所定幅の畳縁４を形成し、畳縁４の四隅に、それぞれ、所定の弾性を有する固定バンド５が取り付けられる。畳表２は、畳床３を図４の矢印方向に挿入し、固定具としての弾性バンド５によって畳床３を係止した状態で装着するようになっている。
【００１４】
なお、弾性バンド５は、ゴムや繊維などの弾性を有するファスナーや粘着テープなどの係止具であればよく、弾性力や粘着力を調整することによって畳表２に畳床３を取り付ける部材であればよい。
【００１５】
また、畳床３は、ポリエチレンやポリプロピレンなどのポリオレフィン系合成樹脂で形成されたモノフィラメント糸の積層構造として成形される。この畳床３は、断面円形で１５０〜１０００デニール（１６５〜１１００デシテックス）のモノフィラメント糸を捲縮し、厚さ数ミリメートルから数センチメートルに積層して、接点を熱融着することによって接合される。
【００１６】
モノフィラメント糸は、図５に示すように、中実線状の芯部６と、該芯部６を被覆する鞘部７の２重構造で形成される。この構造は、鞘部７の融点を低く、芯部６の融点を高く形成することによって、モノフィラメント糸の溶融成形によって形成される。また、芯部６は、剛性を高く形成することによって、モノフィラメント糸の強度を高く保つようになっている。
【００１７】
これにより、畳床３は、モノフィラメント糸の捲縮によって所望のクッション性を備えるとともに、モノフィラメント糸の接点を融着する。これにより、畳床３は、良好なクッション性を備え、高い形態保持力を有する。
【００１８】
また、このポリオレフィン系の合成樹脂は、引張や衝撃に強く耐久性に優れ、防水性や防湿性にも優れている。よって、モノフィラメント糸の積層構造は、必要に応じて、人工畳の丸洗いや乾燥を行うことができる。その結果、人工畳は、清潔に保たれ、衛生上、好ましい。
【００１９】
また、畳床３は、ポリオレフィン系の合成樹脂からなるモノフィラメントを積層してなる。このポリオレフィン系の合成樹脂は、一般的に、弾性に優れ反発力が強く、軽量である。
その結果、モノフィラメント糸は、弾性に優れ、軽量化を図ることができる。例えば、本実施例に係る人工畳の場合、１５mm×９００mm×９００mmのサイズで重量約２．４kgであり、単位体積あたり約０．２ｇ／ｃｍ３である。一方、一般的な畳の場合、５５mm×１８２０mm×９１０mmのサイズで重量約２５kgであり、単位体積あたり約０．２７ｇ／ｃｍ３である。
【００２０】
よって、本実施例に係る畳床３では、従来の畳に比べて、単位サイズが小さく（１畳あたりの重量：約１／５）、運搬時などの畳の取扱いが容易であるとともに、モノフィラメント糸の積層構造（好ましくは、０．１〜０．３kg／cm３の範囲）であるので、約２６％（（０．２g／cm３）／（０．２７g／cm３）＝０．７４）の軽量化および薄肉化を図ることができる。
【００２１】
また、畳床３の重量は、モノフィラメント糸の積層密度の調整により自在に調節することができ、収納時や運搬時などの作業性にも優れる。
また、図６および図７は、畳表２を畳床３の上に載置しただけの構造を示す。すなわち、畳表２は、前記実施例のように、畳縁４を覆うことなく畳床３に載置した構成であり、固定具としての弾性バンド５によって固定する構成になっている。
【００２２】
この場合も、図８の矢印の方向に、畳表２と固定バンド５の間に畳床３を挟み込んで
畳床３を所定の位置に強固に装着するようになっている。この実施例でも、前記実施例と同様の作用および効果を奏する。
【符号の説明】
【００２３】
１：人工畳
２：畳表
３：畳床
４：畳縁
５：固定バンド
６：芯部
７：鞘部
【図１】
0003203707.tif 000003
【図２】
0003203707.tif 000004
【図３】
0003203707.tif 000005
【図４】
0003203707.tif 000006
【図５】
0003203707.tif 000007
【図６】
0003203707.tif 000008
【図７】
0003203707.tif 000009
【図８】
0003203707.tif 000010